(57)【要約】      （修正有）【課題】遺影写真の重厚さを高めると共に、遺影を掲示する葬祭場等の雰囲気を厳粛にし、喪主や遺族が納得する葬儀又は法要とすることが可能であり、軽量かつ強度ある遺影写真用額縁を提供する。【解決手段】遺影写真用額縁は、上部枠、下部枠、左側枠及び右側枠が接合されてなる矩形状の表面枠体と、上部枠、下部枠、左側枠及び右側枠が接合されてなる矩形状の裏面枠体とからなり、表面枠体と裏面枠体の当接面は、接合されて矩形状の開口部を形成し、表面枠体と裏面枠体間に形成される空間部には、補強芯材と楔状リブが嵌着される。表面枠体及び裏面枠体の表裏面、外側面及び内側面をフロッキー加工すると共に、装飾体を額縁の表面枠体に取り付ける。【選択図】図１
0003165831.tif 000002
【実用新案登録請求の範囲】
【請求項１】
遺影写真入りの矩形状写真額を装着し、葬祭場等の祭壇に掲示する遺影写真用額縁であって、前記遺影写真用額縁は、表面枠体、裏面枠体、補強芯材及び楔状リブからなり、前記表面枠体及び裏面枠体の表裏面、外側面及び内側面をフロッキー加工すると共に、活花、造花又は押花等の装飾体を表面枠体に取り付けてなる、ことを特徴とする遺影写真用額縁。
【請求項２】
前記遺影写真用額縁を構成する表面枠体、裏面枠体、補強芯材及び楔状リブは、ダンボール又は厚紙を用いて制作している、ことを特徴とする請求項１に記載する遺影写真用額縁。
【請求項３】
前記補強芯材は、前記表面枠体と裏面枠体間に形成される空間部に嵌着される裏面側に凸状部を形成した所定の厚さを有する平板体である、ことを特徴とする請求項１〜請求項２の何れかに記載する遺影写真用額縁。
【請求項４】
前記楔状リブは、前記表面枠体と前記補強芯材間に形成される空間部の所定位置に複数個配設されている、ことを特徴とする請求項１〜請求項２の何れかに記載する遺影写真用額縁。
【請求項５】
前記遺影写真用額縁の裏面枠体の四周壁面には階段状の段差部を形成し大きさの異なる第１の写真額と第２の写真額を装着可能としている、ことを特徴とする請求項１〜請求項３の何れかに記載する遺影写真用額縁。
【請求項６】
前記遺影写真用額縁の裏面上部枠と下部枠間又は裏面左側枠と右側枠間に遺影写真入り写真額を、前記裏面枠体の四周壁面に圧接するための１〜複数の弾性部材を張設してなる、ことを特徴とする請求項１〜請求項３及び請求項５  の何れかに記載する遺影写真用額縁。
【請求項７】
前記弾性部材が、帯状体、紐状体又はスプリングである、ことを特徴とする請求項６に記載する遺影写真用額縁。
【考案の詳細な説明】
【技術分野】
【０００１】
本考案は、遺影写真用額縁に関し、より詳しくは、寺院、教会又は公会堂等の葬祭場の祭壇中央に掲示される故人の遺影写真用額縁に関する。
【背景技術】
【０００２】
従来より、葬儀又は法要に際しては、故人の写真を拡大し印画紙に焼き付け、透明アクリル板、枠板等を介して木製又はアルミ製のフレーム枠内に収められた写真、いわゆる写真立てを、葬祭場の中央に設置された写真立て台又は祭壇中央等に掲示している。
【０００３】
また遺影写真は、通常、葬祭場の祭壇の中央に置かれているが、焼香の際に参列者が多数の場合には、別途設けられた焼香台に遺影写真（写真立て）を置き、参列者のための便宜を図ることが専ら行われている。現状は単に写真立てに遺影写真を入れただけのものであるが、厳粛さや荘厳さが不足し、喪主や遺族には不満足となっている場合がある。
【０００４】
葬儀用の額縁に関して、例えば特許文献１（第１頁、参照）、特許文献２（第１頁、参照）が提案されている。特許文献１の「葬儀用額縁」は、祭壇に飾る遺影写真を、飾りが完了した後の祭壇に容易に挿着できるようにし、しかも額縁を既存の祭壇上に載置するのみで簡単に装着し得ることを課題とし、その解決手段は、  遺影写真を納める額縁の一端を、祭壇上に載置する固定枠体に回動可能に固定し、額縁の下側部に固着した案内レールフレームに移動板を摺動自在に固定すると共に、移動板と固定枠体とを開閉杆で連係させ、移動板を摺動させることにより額縁を回動させて開閉するようにした構成となっている。
【０００５】
特許文献２の「葬儀に使用する祭壇用額縁」は、祭壇の所定位置に額縁を簡単に固装することができ、特に祭壇の飾り付けが完了後に極めて容易に遺影写真を挿着し得る葬儀に使用する祭壇用額縁を提供することを課題とし、その解決手段は、額縁本体の正面部に写真パネルの挿入空間を形成し、一側面に挿入空間に連通する挿入口を設け、反対側面に台盤上において額縁本体を回動させる支軸管を取付けた構成としている。
【先行技術文献】
【特許文献】
【０００６】
【特許文献１】特開平９−３０８５６４号公報
【特許文献２】特開平８−２０５９９０号公報
【考案の概要】
【考案が解決しようとする課題】
【０００７】
しかしながら、特許文献１は、額縁開閉手段として、ギヤードモータを装備し、特許文献２は、額縁本体を台盤上において回動可能とするためにモータを装備している。したがって、両者は共に、かなりの重さとなっているために葬儀場への搬入や設置等に際し、作業員の増員、電気設備の点検、配線作業等々についての問題点がある。
【０００８】
本願考案者は、上記従来技術の問題点を解消するために、鋭意検討を重ねて本考案を完成したものである。そこで、本考案が解決しようとする課題は、以下の通りである。
すなわち、
（１）第１の課題は、遺影写真の重厚さを高めると共に、遺影を掲示する葬祭場等の雰囲気を厳粛にし、喪主や遺族が納得する葬儀又は法要とすることが可能な遺影写真用額縁を提供することである。
（２）第２の課題は、軽量かつ強度ある遺影写真用額縁を提供することである。
（３）第３の課題は、大きさが異なる写真額を少なくとも２種類装着が可能な遺影写真用額縁を提供することである。
（４）第４の課題は、写真額の着脱が簡便にできると共に、額縁内の写真額が、祭壇等への移動又は設置中に、額縁内からの脱落、ずれ又は歪み等を防止できる遺影写真用額縁を提供することである。
【課題を解決するための手段】
【０００９】
課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊
本願考案における実用新案登録請求の範囲、明細書及び要約書等に記載する用語についての解釈上の疑義を解消すべく、以下に用語の説明を行う。
○「遺影写真」とは、例えば、故人が生前に撮影されたスナップ写真等の中から、葬儀用等に使用すべく喪主又は遺族が選んだ故人の写真を、所定の大きさに拡大して印画紙に焼き付けたものをいう。
○「写真額」とは、遺影写真を透明アクリル板と枠板間に挿着して木製又はアルミ製のフレーム枠内に収められた矩形状の額をいう。写真立てと同義である。
○「遺影写真用額縁」とは、写真額を裏面枠に形成された所定の寸法枠部に着脱可能に嵌装するための額縁をいう。葬儀又は法要が行われる寺院、教会、公会堂又は集会所等における葬祭場の祭壇中央に掲示される。葬儀等の終了後、写真額は、遺影写真用額縁から取り外されて喪主又は遺族に引き渡される。
○「所定の寸法枠部」とは、写真額を嵌装するために遺影写真用額縁の裏面枠に形成される縦横の寸法が異なり、かつ段差部を設けた２種類の写真額嵌装部をいう。
○「補強芯材」とは、額縁の強度を増すために表面枠体と裏面枠体間に形成される空間部に嵌着される裏面側に凸状部を形成した所定の厚さを有する平板体をいう。
○「楔状リブ」とは、補強芯材と同様に額縁の強度を増すために表面枠体と補強芯材間に形成される空間部の所定位置に嵌装される楔状の小片をいう。
○「フロッキー加工」とは、起毛加工とも称され、０．２〜０．５ｍｍくらいの短繊維を静電気を利用して行う植毛手法をいう。ビロード等の感触を付与することができる。
＊＊＊＊＊＊＊＊＊＊＊＊＊＊＊＊＊＊＊＊＊＊＊＊＊＊＊＊＊＊＊＊＊＊＊＊＊＊
【００１０】
上記の課題を解決するための第１の考案は、請求項１に記載の考案であり、遺影写真入りの矩形状写真額を装着し、葬祭場等の祭壇に掲示する遺影写真用額縁であって、前記遺影写真用額縁は、表面枠体、裏面枠体、補強芯材及び楔状リブからなり、前記表面枠体及び裏面枠体の表裏面、外側面及び内側面をフロッキー加工すると共に、活花、造花又は押花等の装飾体を表面枠体に取り付けてなる、ことを特徴としている。
【００１１】
上記の課題を解決するための第２の考案は、請求項２に記載の考案であり、前記遺影写真用額縁を構成する表面枠体、裏面枠体、補強芯材及び楔状リブは、ダンボール又は厚紙を用いて制作している、ことを特徴としている。
【００１２】
上記の課題を解決するための第３の考案は、請求項３に記載の考案であり、前記補強芯材は、前記表面枠体と裏面枠体間に形成される空間部に嵌着される裏面側に凸状部を形成した所定の厚さを有する平板体である、ことを特徴としている。
【００１３】
上記の課題を解決するための第４の考案は、請求項４に記載の考案であり、前記楔状リブは、前記表面枠体と前記補強芯材間に形成される空間部の所定位置に複数個配設されている、ことを特徴としている。
【００１４】
上記の課題を解決するための第５の考案は、請求項５に記載の考案であり、
前記遺影写真用額縁の裏面枠体の四周壁面には階段状の段差部を形成し大きさの異なる第１の写真額と第２の写真額を装着可能としている、ことを特徴としている。
【００１５】
上記の課題を解決するための第６の考案は、請求項６に記載の考案であり、前記遺影写真用額縁の裏面上部枠と下部枠間又は裏面左側枠と右側枠間に遺影写真入り写真額を、前記裏面枠体の四周壁面に圧接するための１〜複数の弾性部材を張設してなる、ことを特徴としている。
【００１６】
上記の課題を解決するための第７の考案は、請求項７に記載の考案であり、前記弾性部材が、帯状体、紐状体又はスプリングである、ことを特徴としている。
【考案の効果】
【００１７】
本考案に係る、遺影写真用額縁は、上記のような特徴的構成要件から構成され、特徴的構成要件に応じた、以下のような本願考案特有の効果を奏する。また上記のような特徴的構成要件から構成された遺影写真用額縁によれば、本願考案の課題を十分解決することができた。すなわち、
第１の考案によれば、「遺影写真入りの矩形状写真額を装着し、葬祭場等の祭壇に掲示する遺影写真用額縁であって、前記遺影写真用額縁は、表面枠体、裏面枠体、補強芯材及び楔状リブからなり、前記表面枠体及び裏面枠体の表裏面、外側面及び内側面をフロッキー加工すると共に、活花、造花又は押花等の装飾体を表面枠体に取り付けてなる」という特徴的構成要件により、
遺影写真の重厚さを高めると共に、遺影を掲示する葬祭場等の雰囲気を厳粛にする遺影写真用額縁の提供という第１の課題を解決することができた。
【００１８】
第２の考案によれば、「前記遺影写真用額縁を構成する表面枠体、裏面枠体、補強芯材及び楔状リブは、ダンボール又は厚紙を用いて制作している」という特徴的構成要件により、
また、第３の考案によれば、「前記補強芯材は、前記表面枠体と裏面枠体間に形成される空間部に嵌着される裏面側に凸状部を形成した所定の厚さを有する平板体である」という特徴的構成要件により、
また、第４の考案によれば、「前記楔状リブは、前記表面枠体と前記補強芯材間に形成される空間部の所定位置に複数個配設されている」という特徴的構成要件により、
軽量かつ強度ある遺影写真用額縁の提供という、第２の課題を解決することができた。
【００１９】
第５の考案によれば、「前記遺影写真用額縁の裏面枠体の四周壁面には階段状の段差部を形成し大きさの異なる第１の写真額と第２の写真額を装着可能としている」という特徴的構成要件により、
大きさが異なる写真額を少なくとも２種類装着が可能な遺影写真用額縁の提供という、第３の課題を解決することができた。
【００２０】
第６の考案によれば、「前記遺影写真用額縁の裏面上部枠と下部枠間又は裏面左側枠と右側枠間に遺影写真入り写真額を、前記裏面枠体の四周壁面に圧接するための１〜複数の弾性部材を張設してなる」という特徴的構成要件により、
また第７の考案によれば、「前記弾性部材が、帯状体、紐状体又はスプリングである」という特徴的構成要件により、
写真額の着脱が簡便にできると共に、額縁内の写真額が、祭壇への移動又は設置中に額縁内からの脱落、ずれ又は歪み等を防止できる遺影写真用額縁の提供という、第４の課題を解決することができた。
【図面の簡単な説明】
【００２１】
【図１】は、本考案に係る、遺影写真用額縁の正面図である。
【図２】は、同装飾体を装着する前の正面図である。
【図３】は、同背面図である。
【図４】は、図２における４−４線断面図である。
【図５】は、図２における５−５線断面図である。
【図６】は、図４におけるＡ部拡大断面図である。
【図７】は、図５におけるＢ部拡大断面図である。
【図８】（イ）、（ロ）は、補強芯材の斜視図である。
【図９】（イ）、（ロ）は、楔状リブの斜視図である。
【図１０】は、本考案に係る、遺影写真用額縁の使用状態を示す正面図である。
【図１１】（イ）、（ロ）は、本考案に係る、遺影写真用額縁の使用状態を示す側断面図である。
【考案を実施するための形態】
【００２２】
図１は、本考案に係る、遺影写真用額縁（以下、額縁１００という）であり、故人の遺影写真ＰＨが収められた写真額ＰＦを装着する前の状態を示している。額縁１００は、表面枠体１０、裏面枠体２０、補強芯材３０及び楔状リブ４０から構成されている。ＦＲは、装飾体で、例えば胡蝶蘭や百合の花等の造花又は生花で、故人が生前、好んだ花等から選択して取り付けられる。１１は開口部で、１２は上部枠、１３は下部枠、１４は左枠、１５は右枠である。Ｂ１、Ｂ２は、写真額ＰＦを額縁１００に装着するときに使用する弾性部材で、例えば帯状バンド又は紐状バンド等が、額縁１００の裏面上部枠２０ａと下部枠２０ｂ間に張設されている。弾性部材Ｂ１、Ｂ２は、図示しないが、額縁１００の裏面左側枠２０ｃと右側枠２０ｄ間に水平に張設することもできる。
【００２３】
図２は、装飾体ＦＲを装着する前の額縁１００であり、表面枠体１０、裏面枠体２０、補強芯材３０及び楔状リブ４０は、ダンボール又は厚紙を用いて制作されている。３１は、表面枠体１０の上部枠１２と裏面枠体２０の上部枠２２の間に形成される空間部Ｓ１（図４、参照）に嵌着された上枠補強芯材であり、所定の厚さを有する平板体をなし、その裏面側には凸状部３１ａが形成されている（図４、図６及び図８（イ）（参照））。
３２は、表面枠体１０の下部枠１３と裏面枠体２０の下部枠２３の間に形成される空間部Ｓ１に嵌着された下枠補強芯材であり、所定の厚さを有する平板体をなし、その裏面側には凸状部３２ａが形成されている（図４、図８（イ）参照）。３３は、表面枠体１０の左枠１４と裏面枠体２０の左枠２４の間に形成される空間部Ｓ１（図５、参照）に嵌着された左枠補強芯材であり、所定の厚さを有する平板体をなし、その裏面側には凸状部３３ａが形成されている（図５、図８（ロ）参照）。３４は、表面枠体１０の右枠１５と裏面枠体２０の右枠２５の間に形成される空間部Ｓ１に嵌着された右枠補強芯材であり、所定の厚さを有する平板体をなし、その裏面側には凸状部３４ａが形成されている（図５、図７参照）。４０は楔状リブで、表面枠体１０と上枠補強芯材３１、下枠補強芯材３２、左枠補強芯材３３及び右枠補強芯材３４間に形成される空間部Ｓ２の所定位置に間隔をおいて複数個配設されている（図２、図９（イ）、（ロ）参照）。
【００２４】
図３は、装飾体ＦＲを装着する前の額縁１００の裏面枠体２０を示している。また図４〜図７に示すように、裏面枠体２０の四周壁面内側２１には階段状の段差部Ｄ１、Ｄ２が形成され、段差部Ｄ１には第１の写真額ＰＦ１が装着され、段差部Ｄ２には第１の写真額ＰＦ１より小なる第２の写真額ＰＦ２が装着可能となっている。図３に示すＨは、額縁１００の高さ寸法で、例えば、５３０ｍｍで、Ｗは巾寸法で４４０ｍｍとすることができる。
段差部Ｄ１の高さＨ１は、例えば、４６５ｍｍで、Ｗは３７５ｍｍとし、段差部Ｄ１とほぼ同寸とされた第１の写真額ＰＦ１を嵌装することができる。また高さＨ２を、例えば、４２５ｍｍ、Ｗを３３５ｍｍとし、段差部Ｄ２とほぼ同寸とされた第２の写真額ＰＦ２を嵌装できるようになっている。第１の写真額ＰＦ１にするか又は第２の写真額ＰＦ２にするかは、喪主又は遺族の希望によって選択することができる。
【００２５】
図４は、図２における４−４線に沿って、額縁１００を縦断したときの態様を示している。表面枠体１０と裏面枠体２０の接合部Ｐは、接着剤によって固着されている（図４、図６、参照）。表面枠体１０と裏面枠体２０間には空間部Ｓ１が形成され、当該空間部Ｓ１には、図８（イ）に示す補強芯材３０が嵌着される。３１は上枠補強芯材、３２は下枠補強芯材で、それぞれの裏面側に形成された凸状部３１ａ及び３２ａが、裏面枠体２０の上部枠２２及び下部枠２３の壁面に取り付けられ、取付壁面は所定の間隔をおいて接着剤によって固着されている。
【００２６】
図５は、図２における５−５線に沿って、額縁１００を横断したときの態様を示している。表面枠体１０と裏面枠体２０の接合部Ｐは、接着剤によって固着されている（図５、図７、参照）。表面枠体１０と裏面枠体２０間には空間部Ｓ１が形成され、当該空間部Ｓ１には、図８（ロ）に示す補強芯材３０が嵌着される。３３は左枠補強芯材、３４は右枠補強芯材で、それぞれの裏面側に形成された凸状部３３ａ及び３４ａが、裏面枠体２０の左側枠２４及び右側枠２５の壁面に取り付けられ、取付壁面は所定の間隔をおいて接着剤によって固着されている。
【００２７】
図６は、図４におけるＡ部拡大断面図で、また図７は、図５におけるＢ部拡大断面図である。両図に示すように、表面枠体１０及び裏面枠体２０の表裏面、外側面及び内側面は、フロッキー加工ＦＫされている。フロッキー加工ＦＫは、起毛加工とも称され、０．２〜０．５ｍｍくらいの短繊維を用いて静電気を利用して行う植毛手法であり、例えば、ビロード等の感触を付与することができる。また植毛された色は、高貴な色とされる、濃いえんじ色又は紫色が好ましく、葬祭場における雰囲気をより厳粛にする効果を奏することができる。
【００２８】
図８（イ）、（ロ）は、補強芯材３０を示し、補強芯材３０は、上枠補強芯材３１、下枠補強芯材３２と左枠補強芯材３３、右枠補強芯材３４で構成されている。３１ａ及び３２ａ、３３ａ及び３４ａは凸状部で、裏面枠体２０の壁面に当接されている。上枠補強芯材３１と下枠補強芯材３２は同一形状である。また下枠補強芯材３２と左枠補強芯材３３も同様に同一形状である。
【００２９】
図９（イ）、（ロ）において、４０は楔状リブの形状を示し、両者は、ほぼ同じ形状で、図２、図４〜図７に示すように、表面枠体１０と上枠補強芯材３１、下枠補強芯材３２、左枠補強芯材３３及び右枠補強芯材３４間に形成される空間部Ｓ２の所定位置に間隔をおいて複数個配設されている。
【００３０】
図１０は、本考案に係る、遺影写真用額縁１００の使用状態を示している。遺影写真ＰＨは、写真額ＰＦ内に収められ、葬祭場の祭壇等中央に設置された額縁載置台Ｔに載置される。図１１（イ）は、第１の写真額ＰＦ１を段差部Ｄ１に嵌装して掲示した状態で、図示するように、第１の写真額ＰＦ１は、弾性部材Ｂ１、Ｂ２によって段差部Ｄ１に圧接、固定され、額縁載置台ＴのスタンドＳＴに所定の角度で立てかけられる。図１１（ロ）は、第２の写真額ＰＦ２を段差部Ｄ２に嵌装して掲示した状態で、図示するように、第２の写真額ＰＦ２は、弾性部材Ｂ１、Ｂ２によって段差部Ｄ２に圧接、固定され、額縁載置台ＴのスタンドＳＴに所定の角度で立てかけられる。
【符号の説明】
【００３１】
１００          遺影写真用額縁
ＰＨ            遺影写真
ＰＦ            写真額
ＰＦ１          第１の写真額
ＰＦ２          第２の写真額
１０            表面枠体
１１            開口部
１２            上部枠
１３            下部枠
１４            左側枠
１５            右側枠
２０            裏面枠体
２１            四周壁面
２２            上部枠
２３            下部枠
２４            左側枠
２５            右側枠
３０            補強芯材
３１            上枠補強芯材
３２            下枠補強芯材
３３            左枠補強芯材
３４            右枠補強芯材
４０            楔状リブ
ＦＫ            フロッキー加工（起毛）
ＦＲ            装飾体
Ｓ１、Ｓ２      空間部
３１ａ          凸状部
３１ｂ          平板体
Ｄ１、Ｄ２      段差部
Ｐ              接合部
Ｂ１、Ｂ２      弾性部材
Ｔ              額縁載置台
【図１】
0003165831.tif 000003
【図２】
0003165831.tif 000004
【図３】
0003165831.tif 000005
【図４】
0003165831.tif 000006
【図５】
0003165831.tif 000007
【図６】
0003165831.tif 000008
【図７】
0003165831.tif 000009
【図８】
0003165831.tif 000010
【図９】
0003165831.tif 000011
【図１０】
0003165831.tif 000012
【図１１】
0003165831.tif 000013
【手続補正書】
【提出日】平成22年11月27日(2010.11.27)
【手続補正１】
【補正対象書類名】実用新案登録請求の範囲
【補正対象項目名】全文
【補正方法】変更
【補正の内容】
【実用新案登録請求の範囲】
【請求項１】
遺影写真入りの矩形状写真額を装着し、葬祭場等の祭壇に掲示する遺影写真用額縁であって、
前記遺影写真用額縁は、上部枠、下部枠、左側枠及び右側枠が接合されてなる矩形状の表面枠体と、上部枠、下部枠、左側枠及び右側枠が接合されてなる矩形状の裏面枠体とからなり、前記表面枠体と裏面枠体の当接面は、接合されて矩形状の開口部を形成し、前記表面枠体と裏面枠体間に形成される空間部には、補強芯材が嵌着され、かつ前記表面枠体と前記補強芯材間に形成される空間部には、楔状リブが嵌着されてなり、
前記表面枠体及び裏面枠体の表裏面、外側面及び内側面をフロッキー加工すると共に、活花、造花又は押花等の装飾体を額縁の表面枠体に取り付けてなる、ことを特徴とする遺影写真用額縁。
【請求項２】
前記遺影写真用額縁を構成する表面枠体、裏面枠体、補強芯材及び楔状リブは、ダンボール又は厚紙を用いて制作している、ことを特徴とする請求項１に記載する遺影写真用額縁。
【請求項３】
前記補強芯材は、前記表面枠体と裏面枠体間に形成される空間部に嵌着される裏面側に凸状部を形成した所定の厚さを有する平板体である、ことを特徴とする請求項１〜請求項２の何れかに記載する遺影写真用額縁。
【請求項４】
前記楔状リブは、前記表面枠体と前記補強芯材間に形成される空間部の所定位置に複数個配設されている、ことを特徴とする請求項１〜請求項２の何れかに記載する遺影写真用額縁。
【請求項５】
前記遺影写真用額縁の裏面枠体の四周壁面には階段状の段差部を形成し大きさの異なる第１の写真額と第２の写真額を装着可能としている、ことを特徴とする請求項１〜請求項３の何れかに記載する遺影写真用額縁。
【請求項６】
前記遺影写真用額縁の裏面上部枠と下部枠間又は裏面左側枠と右側枠間に遺影写真入り写真額を、前記裏面枠体の四周壁面に圧接するための１〜複数の弾性部材を張設してなる、ことを特徴とする請求項１〜請求項３及び請求項５  の何れかに記載する遺影写真用額縁。
【請求項７】
前記弾性部材が、帯状体、紐状体又はスプリングである、ことを特徴とする請求項６に記載する遺影写真用額縁。
【手続補正２】
【補正対象書類名】明細書
【補正対象項目名】全文
【補正方法】変更
【補正の内容】
【考案の詳細な説明】
【技術分野】
【０００１】
本考案は、遺影写真用額縁に関し、より詳しくは、寺院、教会又は公会堂等の葬祭場の祭壇中央に掲示される故人の遺影写真用額縁に関する。
【背景技術】
【０００２】
従来より、葬儀又は法要に際しては、故人の写真を拡大し印画紙に焼き付け、透明アクリル板、枠板等を介して木製又はアルミ製のフレーム枠内に収められた写真、いわゆる写真立てを、葬祭場の中央に設置された写真立て台又は祭壇中央等に掲示している。
【０００３】
また遺影写真は、通常、葬祭場の祭壇の中央に置かれているが、焼香の際に参列者が多数の場合には、別途設けられた焼香台に遺影写真（写真立て）を置き、参列者のための便宜を図ることが専ら行われている。現状は単に写真立てに遺影写真を入れただけのものであるが、厳粛さや荘厳さが不足し、喪主や遺族には不満足となっている場合がある。
【０００４】
葬儀用の額縁に関して、例えば特許文献１（第１頁、参照）、特許文献２（第１頁、参照）が提案されている。特許文献１の「葬儀用額縁」は、祭壇に飾る遺影写真を、飾りが完了した後の祭壇に容易に挿着できるようにし、しかも額縁を既存の祭壇上に載置するのみで簡単に装着し得ることを課題とし、その解決手段は、  遺影写真を納める額縁の一端を、祭壇上に載置する固定枠体に回動可能に固定し、額縁の下側部に固着した案内レールフレームに移動板を摺動自在に固定すると共に、移動板と固定枠体とを開閉杆で連係させ、移動板を摺動させることにより額縁を回動させて開閉するようにした構成となっている。
【０００５】
特許文献２の「葬儀に使用する祭壇用額縁」は、祭壇の所定位置に額縁を簡単に固装することができ、特に祭壇の飾り付けが完了後に極めて容易に遺影写真を挿着し得る葬儀に使用する祭壇用額縁を提供することを課題とし、その解決手段は、額縁本体の正面部に写真パネルの挿入空間を形成し、一側面に挿入空間に連通する挿入口を設け、反対側面に台盤上において額縁本体を回動させる支軸管を取付けた構成としている。
【先行技術文献】
【特許文献】
【０００６】
【特許文献１】特開平９−３０８５６４号公報
【特許文献２】特開平８−２０５９９０号公報
【考案の概要】
【考案が解決しようとする課題】
【０００７】
しかしながら、特許文献１は、額縁開閉手段として、ギヤードモータを装備し、特許文献２は、額縁本体を台盤上において回動可能とするためにモータを装備している。したがって、両者は共に、かなりの重さとなっているために葬儀場への搬入や設置等に際し、作業員の増員、電気設備の点検、配線作業等々についての問題点がある。
【０００８】
本願考案者は、上記従来技術の問題点を解消するために、鋭意検討を重ねて本考案を完成したものである。そこで、本考案が解決しようとする課題は、以下の通りである。
すなわち、
（１）第１の課題は、遺影写真の重厚さを高めると共に、遺影を掲示する葬祭場等の雰囲気を厳粛にし、喪主や遺族が納得する葬儀又は法要とすることが可能な遺影写真用額縁を提供することである。
（２）第２の課題は、軽量かつ強度ある遺影写真用額縁を提供することである。
（３）第３の課題は、大きさが異なる写真額を少なくとも２種類装着が可能な遺影写真用額縁を提供することである。
（４）第４の課題は、写真額の着脱が簡便にできると共に、額縁内の写真額が、祭壇等への移動又は設置中に、額縁内からの脱落、ずれ又は歪み等を防止できる遺影写真用額縁を提供することである。
【課題を解決するための手段】
【０００９】
課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊
本願考案における実用新案登録請求の範囲、明細書及び要約書等に記載する用語についての解釈上の疑義を解消すべく、以下に用語の説明を行う。
○「遺影写真」とは、例えば、故人が生前に撮影されたスナップ写真等の中から、葬儀用等に使用すべく喪主又は遺族が選んだ故人の写真を、所定の大きさに拡大して印画紙に焼き付けたものをいう。
○「写真額」とは、遺影写真を透明アクリル板と枠板間に挿着して木製又はアルミ製のフレーム枠内に収められた矩形状の額をいう。写真立てと同義である。
○「遺影写真用額縁」とは、写真額を裏面枠に形成された所定の寸法枠部に着脱可能に嵌装するための額縁をいう。葬儀又は法要が行われる寺院、教会、公会堂又は集会所等における葬祭場の祭壇中央に掲示される。葬儀等の終了後、写真額は、遺影写真用額縁から取り外されて喪主又は遺族に引き渡される。
○「所定の寸法枠部」とは、写真額を嵌装するために遺影写真用額縁の裏面枠に形成される縦横の寸法が異なり、かつ段差部を設けた２種類の写真額嵌装部をいう。
○「補強芯材」とは、額縁の強度を増すために表面枠体と裏面枠体間に形成される空間部に嵌着される裏面側に凸状部を形成した所定の厚さを有する平板体をいう。
○「楔状リブ」とは、補強芯材と同様に額縁の強度を増すために表面枠体と補強芯材間に形成される空間部の所定位置に嵌装される楔状の小片をいう。
○「フロッキー加工」とは、起毛加工とも称され、０．２〜０．５ｍｍくらいの短繊維を静電気を利用して行う植毛手法をいう。ビロード等の感触を付与することができる。
＊＊＊＊＊＊＊＊＊＊＊＊＊＊＊＊＊＊＊＊＊＊＊＊＊＊＊＊＊＊＊＊＊＊＊＊＊＊
【００１０】
上記の課題を解決するための第１の考案は、請求項１に記載の考案であり、遺影写真入りの矩形状写真額を装着し、葬祭場等の祭壇に掲示する遺影写真用額縁であって、
前記遺影写真用額縁は、上部枠、下部枠、左側枠及び右側枠が接合されてなる矩形状の表面枠体と、上部枠、下部枠、左側枠及び右側枠が接合されてなる矩形状の裏面枠体とからなり、前記表面枠体と裏面枠体の当接面は、接合されて矩形状の開口部を形成し、前記表面枠体と裏面枠体間に形成される空間部には、補強芯材が嵌着され、かつ前記表面枠体と前記補強芯材間に形成される空間部には、楔状リブが嵌着されてなり、
前記表面枠体及び裏面枠体の表裏面、外側面及び内側面をフロッキー加工すると共に、活花、造花又は押花等の装飾体を表面枠体に取り付けてなる、ことを特徴としている。
【００１１】
上記の課題を解決するための第２の考案は、請求項２に記載の考案であり、前記遺影写真用額縁を構成する表面枠体、裏面枠体、補強芯材及び楔状リブは、ダンボール又は厚紙を用いて制作している、ことを特徴としている。
【００１２】
上記の課題を解決するための第３の考案は、請求項３に記載の考案であり、前記補強芯材は、前記表面枠体と裏面枠体間に形成される空間部に嵌着される裏面側に凸状部を形成した所定の厚さを有する平板体である、ことを特徴としている。
【００１３】
上記の課題を解決するための第４の考案は、請求項４に記載の考案であり、前記楔状リブは、前記表面枠体と前記補強芯材間に形成される空間部の所定位置に複数個配設されている、ことを特徴としている。
【００１４】
上記の課題を解決するための第５の考案は、請求項５に記載の考案であり、
前記遺影写真用額縁の裏面枠体の四周壁面には階段状の段差部を形成し大きさの異なる第１の写真額と第２の写真額を装着可能としている、ことを特徴としている。
【００１５】
上記の課題を解決するための第６の考案は、請求項６に記載の考案であり、前記遺影写真用額縁の裏面上部枠と下部枠間又は裏面左側枠と右側枠間に遺影写真入り写真額を、前記裏面枠体の四周壁面に圧接するための１〜複数の弾性部材を張設してなる、ことを特徴としている。
【００１６】
上記の課題を解決するための第７の考案は、請求項７に記載の考案であり、前記弾性部材が、帯状体、紐状体又はスプリングである、ことを特徴としている。
【考案の効果】
【００１７】
本考案に係る、遺影写真用額縁は、上記のような特徴的構成要件から構成され、特徴的構成要件に応じた、以下のような本願考案特有の効果を奏する。また上記のような特徴的構成要件から構成された遺影写真用額縁によれば、本願考案の課題を十分解決することができた。すなわち、
第１の考案によれば、「遺影写真入りの矩形状写真額を装着し、葬祭場等の祭壇に掲示する遺影写真用額縁であって、
前記遺影写真用額縁は、上部枠、下部枠、左側枠及び右側枠が接合されてなる矩形状の表面枠体と、上部枠、下部枠、左側枠及び右側枠が接合されてなる矩形状の裏面枠体とからなり、前記表面枠体と裏面枠体の当接面は、接合されて矩形状の開口部を形成し、前記表面枠体と裏面枠体間に形成される空間部には、補強芯材が嵌着され、かつ前記表面枠体と前記補強芯材間に形成される空間部には、楔状リブが嵌着されてなり、
前記表面枠体及び裏面枠体の表裏面、外側面及び内側面をフロッキー加工すると共に、活花、造花又は押花等の装飾体を表面枠体に取り付けてなる」という特徴的構成要件により、
遺影写真の重厚さを高めると共に、遺影を掲示する葬祭場等の雰囲気を厳粛にする遺影写真用額縁の提供という第１の課題を解決することができた。
【００１８】
第２の考案によれば、「前記遺影写真用額縁を構成する表面枠体、裏面枠体、補強芯材及び楔状リブは、ダンボール又は厚紙を用いて制作している」という特徴的構成要件により、
また、第３の考案によれば、「前記補強芯材は、前記表面枠体と裏面枠体間に形成される空間部に嵌着される裏面側に凸状部を形成した所定の厚さを有する平板体である」という特徴的構成要件により、
また、第４の考案によれば、「前記楔状リブは、前記表面枠体と前記補強芯材間に形成される空間部の所定位置に複数個配設されている」という特徴的構成要件により、
軽量かつ強度ある遺影写真用額縁の提供という、第２の課題を解決することができた。
【００１９】
第５の考案によれば、「前記遺影写真用額縁の裏面枠体の四周壁面には階段状の段差部を形成し大きさの異なる第１の写真額と第２の写真額を装着可能としている」という特徴的構成要件により、
大きさが異なる写真額を少なくとも２種類装着が可能な遺影写真用額縁の提供という、第３の課題を解決することができた。
【００２０】
第６の考案によれば、「前記遺影写真用額縁の裏面上部枠と下部枠間又は裏面左側枠と右側枠間に遺影写真入り写真額を、前記裏面枠体の四周壁面に圧接するための１〜複数の弾性部材を張設してなる」という特徴的構成要件により、
また第７の考案によれば、「前記弾性部材が、帯状体、紐状体又はスプリングである」という特徴的構成要件により、
写真額の着脱が簡便にできると共に、額縁内の写真額が、祭壇への移動又は設置中に額縁内からの脱落、ずれ又は歪み等を防止できる遺影写真用額縁の提供という、第４の課題を解決することができた。
【図面の簡単な説明】
【００２１】
【図１】は、本考案に係る、遺影写真用額縁の正面図である。
【図２】は、同装飾体を装着する前の正面図である。
【図３】は、同背面図である。
【図４】は、図２における４−４線断面図である。
【図５】は、図２における５−５線断面図である。
【図６】は、図４におけるＡ部拡大断面図である。
【図７】は、図５におけるＢ部拡大断面図である。
【図８】（イ）、（ロ）は、補強芯材の斜視図である。
【図９】（イ）、（ロ）は、楔状リブの斜視図である。
【図１０】は、本考案に係る、遺影写真用額縁の使用状態を示す正面図である。
【図１１】（イ）、（ロ）は、本考案に係る、遺影写真用額縁の使用状態を示す側断面図である。
【考案を実施するための形態】
【００２２】
図１は、本考案に係る、遺影写真用額縁（以下、額縁１００という）であり、故人の遺影写真ＰＨが収められた写真額ＰＦを装着する前の状態を示している。額縁１００は、表面枠体１０、裏面枠体２０、補強芯材３０及び楔状リブ４０から構成されている。ＦＲは、装飾体で、例えば胡蝶蘭や百合の花等の造花又は生花で、故人が生前、好んだ花等から選択して取り付けられる。１１は開口部で、１２は上部枠、１３は下部枠、１４は左枠、１５は右枠である。Ｂ１、Ｂ２は、写真額ＰＦを額縁１００に装着するときに使用する弾性部材で、例えば帯状バンド又は紐状バンド等が、額縁１００の裏面上部枠２０ａと下部枠２０ｂ間に張設されている。弾性部材Ｂ１、Ｂ２は、図示しないが、額縁１００の裏面左側枠２０ｃと右側枠２０ｄ間に水平に張設することもできる。
【００２３】
図２は、装飾体ＦＲを装着する前の額縁１００であり、表面枠体１０、裏面枠体２０、補強芯材３０及び楔状リブ４０は、ダンボール又は厚紙を用いて制作されている。３１は、表面枠体１０の上部枠１２と裏面枠体２０の上部枠２２の間に形成される空間部Ｓ１（図４、参照）に嵌着された上枠補強芯材であり、所定の厚さを有する平板体をなし、その裏面側には凸状部３１ａが形成されている（図４、図６及び図８（イ）（参照））。
３２は、表面枠体１０の下部枠１３と裏面枠体２０の下部枠２３の間に形成される空間部Ｓ１に嵌着された下枠補強芯材であり、所定の厚さを有する平板体をなし、その裏面側には凸状部３２ａが形成されている（図４、図８（イ）参照）。３３は、表面枠体１０の左枠１４と裏面枠体２０の左枠２４の間に形成される空間部Ｓ１（図５、参照）に嵌着された左枠補強芯材であり、所定の厚さを有する平板体をなし、その裏面側には凸状部３３ａが形成されている（図５、図８（ロ）参照）。３４は、表面枠体１０の右枠１５と裏面枠体２０の右枠２５の間に形成される空間部Ｓ１に嵌着された右枠補強芯材であり、所定の厚さを有する平板体をなし、その裏面側には凸状部３４ａが形成されている（図５、図７参照）。４０は楔状リブで、表面枠体１０と上枠補強芯材３１、下枠補強芯材３２、左枠補強芯材３３及び右枠補強芯材３４間に形成される空間部Ｓ２の所定位置に間隔をおいて複数個配設されている（図２、図９（イ）、（ロ）参照）。
【００２４】
図３は、装飾体ＦＲを装着する前の額縁１００の裏面枠体２０を示している。また図４〜図７に示すように、裏面枠体２０の四周壁面内側２１には階段状の段差部Ｄ１、Ｄ２が形成され、段差部Ｄ１には第１の写真額ＰＦ１が装着され、段差部Ｄ２には第１の写真額ＰＦ１より小なる第２の写真額ＰＦ２が装着可能となっている。図３に示すＨは、額縁１００の高さ寸法で、例えば、５３０ｍｍで、Ｗは巾寸法で４４０ｍｍとすることができる。
段差部Ｄ１の高さＨ１は、例えば、４６５ｍｍで、Ｗは３７５ｍｍとし、段差部Ｄ１とほぼ同寸とされた第１の写真額ＰＦ１を嵌装することができる。また高さＨ２を、例えば、４２５ｍｍ、Ｗを３３５ｍｍとし、段差部Ｄ２とほぼ同寸とされた第２の写真額ＰＦ２を嵌装できるようになっている。第１の写真額ＰＦ１にするか又は第２の写真額ＰＦ２にするかは、喪主又は遺族の希望によって選択することができる。
【００２５】
図４は、図２における４−４線に沿って、額縁１００を縦断したときの態様を示している。表面枠体１０と裏面枠体２０の接合部Ｐは、接着剤によって固着されている（図４、図６、参照）。表面枠体１０と裏面枠体２０間には空間部Ｓ１が形成され、当該空間部Ｓ１には、図８（イ）に示す補強芯材３０が嵌着される。３１は上枠補強芯材、３２は下枠補強芯材で、それぞれの裏面側に形成された凸状部３１ａ及び３２ａが、裏面枠体２０の上部枠２２及び下部枠２３の壁面に取り付けられ、取付壁面は所定の間隔をおいて接着剤によって固着されている。
【００２６】
図５は、図２における５−５線に沿って、額縁１００を横断したときの態様を示している。表面枠体１０と裏面枠体２０の接合部Ｐは、接着剤によって固着されている（図５、図７、参照）。表面枠体１０と裏面枠体２０間には空間部Ｓ１が形成され、当該空間部Ｓ１には、図８（ロ）に示す補強芯材３０が嵌着される。３３は左枠補強芯材、３４は右枠補強芯材で、それぞれの裏面側に形成された凸状部３３ａ及び３４ａが、裏面枠体２０の左側枠２４及び右側枠２５の壁面に取り付けられ、取付壁面は所定の間隔をおいて接着剤によって固着されている。
【００２７】
図６は、図４におけるＡ部拡大断面図で、また図７は、図５におけるＢ部拡大断面図である。両図に示すように、表面枠体１０及び裏面枠体２０の表裏面、外側面及び内側面は、フロッキー加工ＦＫされている。フロッキー加工ＦＫは、起毛加工とも称され、０．２〜０．５ｍｍくらいの短繊維を用いて静電気を利用して行う植毛手法であり、例えば、ビロード等の感触を付与することができる。また植毛された色は、高貴な色とされる、濃いえんじ色又は紫色が好ましく、葬祭場における雰囲気をより厳粛にする効果を奏することができる。
【００２８】
図８（イ）、（ロ）は、補強芯材３０を示し、補強芯材３０は、上枠補強芯材３１、下枠補強芯材３２と左枠補強芯材３３、右枠補強芯材３４で構成されている。３１ａ及び３２ａ、３３ａ及び３４ａは凸状部で、裏面枠体２０の壁面に当接されている。上枠補強芯材３１と下枠補強芯材３２は同一形状である。また下枠補強芯材３２と左枠補強芯材３３も同様に同一形状である。
【００２９】
図９（イ）、（ロ）において、４０は楔状リブの形状を示し、両者は、ほぼ同じ形状で、図２、図４〜図７に示すように、表面枠体１０と上枠補強芯材３１、下枠補強芯材３２、左枠補強芯材３３及び右枠補強芯材３４間に形成される空間部Ｓ２の所定位置に間隔をおいて複数個配設されている。
【００３０】
図１０は、本考案に係る、遺影写真用額縁１００の使用状態を示している。遺影写真ＰＨは、写真額ＰＦ内に収められ、葬祭場の祭壇等中央に設置された額縁載置台Ｔに載置される。図１１（イ）は、第１の写真額ＰＦ１を段差部Ｄ１に嵌装して掲示した状態で、図示するように、第１の写真額ＰＦ１は、弾性部材Ｂ１、Ｂ２によって段差部Ｄ１に圧接、固定され、額縁載置台ＴのスタンドＳＴに所定の角度で立てかけられる。図１１（ロ）は、第２の写真額ＰＦ２を段差部Ｄ２に嵌装して掲示した状態で、図示するように、第２の写真額ＰＦ２は、弾性部材Ｂ１、Ｂ２によって段差部Ｄ２に圧接、固定され、額縁載置台ＴのスタンドＳＴに所定の角度で立てかけられる。
【符号の説明】
【００３１】
１００          遺影写真用額縁
ＰＨ            遺影写真
ＰＦ            写真額
ＰＦ１          第１の写真額
ＰＦ２          第２の写真額
１０            表面枠体
１１            開口部
１２            上部枠
１３            下部枠
１４            左側枠
１５            右側枠
２０            裏面枠体
２１            四周壁面
２２            上部枠
２３            下部枠
２４            左側枠
２５            右側枠
３０            補強芯材
３１            上枠補強芯材
３２            下枠補強芯材
３３            左枠補強芯材
３４            右枠補強芯材
４０            楔状リブ
ＦＫ            フロッキー加工（起毛）
ＦＲ            装飾体
Ｓ１、Ｓ２      空間部
３１ａ          凸状部
３１ｂ          平板体
Ｄ１、Ｄ２      段差部
Ｐ              接合部
Ｂ１、Ｂ２      弾性部材
Ｔ              額縁載置台